(57)【要約】【課題】表示画面で現れたムラの抑制の実効性確保しつつ、必要なメモリリソースの低減を図る。【解決手段】プロジェクター１００は、階調表現が可能な画素を縦横の格子状に配列した液晶パネル１４０を備え、ＬＵＴメモリー１２４には、画素配列の格子より少ない数の縦横格子の格子点ごとにデータ補正用の補正値を備えるルックアップテーブルを記憶する。ＬＵＴメモリー１２４を参照しつつ、各画素について入力部１１２で入力した画像データを対応する画素の周囲の格子点の補正値に基づき補正し、その補正後の画像データを出力して液晶パネル１４０に画像を表示して投影する。このルックアップテーブルは、液晶パネル１４０に実際に表示された画像に現れたムラの発生領域を区画するよう、ルックアップテーブルにおける格子点の位置が予め変更されている。【選択図】図２
2011180350.tif 000002
【特許請求の範囲】
【請求項１】
階調表現が可能な画素を縦方向にＭ個（Ｍは自然数）、横方向にＮ個（Ｎは自然数）配列した表示画面に、画像データに基づいて画像を表示する画像表示装置であって、
前記画像データの入力を受けるデータ入力部と、
前記画素の配列に対応して設定されたＰ本（ＰはＮ−１以下の自然数）の縦方向のライン及びＱ本（ＱはＭ−１以下の自然数）の横方向のラインのライン交点に配置された全ての格子点ごとに、前記画像データの入力値に対応して該画像データを補正するための補正値を備えるルックアップテーブルを記憶したテーブル記憶部と、
該記憶されたルックアップテーブルを参照しつつ、前記一つの画素に対応して入力した前記画像データを、前記画素の周囲の複数の前記格子点についての前記補正値を用いて補正する参照補正部と、
該補正後の画像データを前記表示画面での画像表示のために出力するデータ出力部とを備え、
前記テーブル記憶部が記憶した前記ルックアップテーブルの前記格子点は、前記画素の前記縦および横方向の配列に対して、不等間隔に設定されている
画像表示装置。
【請求項２】
前記テーブル記憶部が記憶した前記ルックアップテーブルの前記格子点は、前記表示画面に表示した画像にムラが発生した場合の前記ムラの発生領域での密度が高くなるよう、前記不等間隔に設定されている請求項１に記載の画像表示装置。
【請求項３】
前記テーブル記憶部が記憶した前記ルックアップテーブルの前記格子点は、前記表示画面に表示した画像にムラが発生した場合の前記ムラの発生領域を区画するよう、前記不等間隔に設定されている請求項１または請求項２に記載の画像表示装置。
【請求項４】
請求項３に記載の画像表示装置であって、
前記テーブル記憶部の記憶対象となる前記ルックアップテーブルにおける前記格子点を、前記表示画面に表示した画像にムラが発生した場合の前記ムラの発生領域を区画するように前記不等間隔に設定して、格子点位置を変更する格子位置変更部を有する
画像表示装置。
【請求項５】
前記格子位置変更部は、前記ルックアップテーブルにおける前記横方向のラインに属する全ての格子点の位置を縦方向に変更し、前記縦方向のラインに属する全ての格子点の位置を横方向に変更することで前記ムラの発生領域を区画する請求項４に記載の画像表示装置。
【請求項６】
請求項４または請求項５に記載の画像表示装置であって、
前記ルックアップテーブルは、前記格子点の格子配列を維持したまま前記階調表現が可能な範囲に亘って多段に積層され、各段のルックアップテーブルにおける前記格子点ごとの前記補正値を階調に対応付けて備える３次元ルックアップテーブルとされ、
前記格子点位置変更部は、前記テーブル記憶部の記憶対象となる前記３次元ルックアップテーブルにおける前記各段のルックアップテーブルの間隔を、前記表示画面に画像を表示する際の入力階調に対する出力階調の入出力階調の偏りを区画するように設定して、格子点位置を変更する、
画像表示装置。
【請求項７】
請求項４または請求項５に記載の画像表示装置であって、
前記表示画面における前記ムラの発生状況の入力を受ける変位入力部と、
該変位入力部が前記入力を受けた前記ムラの発生状況に基づいて前記ムラの発生領域を区画するよう、前記格子点位置を変更して前記ルックアップテーブルを補正する前記格子点位置変更部と、
該格子点位置変更部の前記補正した前記ルックアップテーブルを、前記参照補正部が前記入力した画像データを前記補正値に基づき補正する際のルックアップテーブルとして前記テーブル記憶部に記憶させるテーブル書込部とを備える、
画像表示装置。
【請求項８】
請求項６に記載の画像表示装置であって、
前記表示画面における前記ムラの発生状況の入力を受ける変位入力部と、
該変位入力部が前記入力を受けた前記ムラの発生状況に基づいて前記ムラの発生領域を区画するよう、前記格子点位置を変更して前記ルックアップテーブルを補正する前記格子点位置変更部と、
該格子点位置変更部の前記補正した前記ルックアップテーブルを、前記参照補正部が前記入力した画像データを前記補正値に基づき補正する際のルックアップテーブルとして前記テーブル記憶部に記憶させるテーブル書込部とを備え、
前記変位入力部は、前記入出力階調の偏りの状況についてもその入力を受け、
前記格子点位置変更部は、前記変位入力部が前記入力を受けた前記入出力階調の偏りの状況に基づいても前記入出力階調の偏りを区画するよう、前記各段のルックアップテーブルの間隔を変更して前記３次元ルックアップテーブルを補正し、
前記テーブル書込部は、前記格子点位置変更部の前記補正した前記３次元ルックアップテーブルを、前記参照補正部が前記入力した画像データを前記補正値に基づき補正する際のルックアップテーブルとして前記テーブル記憶部に記憶させる、
画像表示装置。
【請求項９】
請求項８に記載の画像表示装置であって、
前記格子点位置変更部は、
前記画素が配列された格子より少ない数で等間隔とされた縦横格子の格子点ごとに前記補正値を備える基準ルックアップテーブルを、該ルックアップテーブルにおける前記格子点の格子配列を維持したまま前記階調表現が可能な範囲に亘って等間隔に多段に積層し、各段の前記ルックアップテーブルにおける前記格子点ごとの前記補正値を階調に対応付けて備える基準３次元ルックアップテーブルについて、前記変位入力部が前記入力を受けた前記ムラの発生状況に基づいた前記各段の前記基準ルックアップテーブルにおける前記格子位置と、前記変位入力部が前記入力を受けた前記入出力階調の偏りの状況に基づいた前記各段の前記基準ルックアップテーブルの間隔とを変更して前記基準３次元ルックアップテーブルを補正し、
前記テーブル書込部は、
前記補正後の前記基準３次元ルックアップテーブルを、前記参照補正部が前記入力した画像データを前記補正値に基づき補正する際のルックアップテーブルとして前記テーブル記憶部に記憶させる、
画像表示装置。
【請求項１０】
請求項９に記載の画像表示装置であって、
更に、
前記データ出力部から出力された前記補正後の画像データに基づいて前記表示画面に表示された画像の前記表示画面における前記ムラの発生状況と前記入出力階調の偏りの状況の少なくとも一方を検出し、該検出した前記ムラの発生状況と前記入出力階調の偏りの状況を前記格子点位置変更部に入力する変位検出部を備え、
前記格子位置変更部は、
前記変位検出部から入力した前記検出した前記ムラの発生状況と前記入出力階調の偏りの状況に基づいた前記基準３次元ルックアップテーブルについての前記補正を行う、
画像表示装置。
【請求項１１】
階調表現が可能な画素を縦方向にＭ個（Ｍは自然数）、横方向にＮ個（Ｎは自然数）配列した表示画面の前記画素に画像データを出力して該画像データに基づいて画像を表示する画像表示方法であって、
前記画素の配列に対応して設定されたＰ本（ＰはＮ−１以下の自然数）の縦方向のライン及びＱ本（ＱはＭ−１以下の自然数）の横方向のラインのライン交点に配置された全ての格子点ごとに前記画像データの入力値に対応して該画像データを補正するための補正値を備えるルックアップテーブルの前記格子点の位置を変更して、前記表示画面に表示した画像にムラが発生した場合の前記ムラの発生領域を区画し、
前記格子点の位置を変更済みの前記ルックアップテーブルを参照しつつ、各画素について入力した画像データを対応する画素の周囲の前記格子点の前記補正値に基づき補正する
画像表示方法。
【発明の詳細な説明】
【技術分野】
【０００１】
本発明は、階調表現が可能な画素を縦横の格子状に配列した表示画面に、入力した画像データに基づいた画像を表示する画像表示装置に関する。
【背景技術】
【０００２】
液晶表示パネル等の光変調素子の表示画面に静止画や映像を表示する場合、これら画像を構成する画像データは、一般に、表示画面を構成する画素への出力に適したデータに補正して出力される。こうしたデータ補正に当たっては、その処理の簡便化を図るため、ルックアップテーブルが多用される。近年では、画素の細緻化が進んでいることから、画像データの補正に用いるルックアップテーブルにおける補正データも多くなって大きなメモリリソースが必要となる。こうしたことに対処するため、補正データを対応付けた格子点を有するルックアップテーブルの格子を拡大して、メモリリソースの低減を図ることが通常なされている。
【０００３】
ところで、表示画面を構成する光変調素子では、その物理的な特性によりその表示した画像に色ムラや階調表現のムラが発生し得る。発生したムラは、補正データを有するルックアップテーブルの格子点を増やした上での画像データ補正により抑制可能ではあるが、リソース低減に反することになる。このため、リソース低減とムラ抑制の実効性確保とを図るため、種々の技術が提案されている（例えば、特許文献１）。
【先行技術文献】
【特許文献】
【０００４】
【特許文献１】特開２００６−１１９５８５号公報
【発明の概要】
【発明が解決しようとする課題】
【０００５】
この特許文献では、表示画面で現れたムラの疎密に着目し、ムラが細かく発生した領域ではムラが粗く発生した領域より補正データを増やすこと、具体的には、ムラが細かく発生した領域では、ルックアップテーブルの格子点を、ムラが粗い領域よりも密にしている。こうした対処がなされるため、ムラの疎密に応じたデータ補正ができるためにムラ抑制の実効性を確保できるものの、格子点の数が増える分だけのメモリリソース低減が進まないのが現状である。
【０００６】
本発明は、上述の課題を解決するためになされたものであり、表示画面で現れたムラの抑制の実効性確保しつつ、必要なメモリリソースの低減を図ることを目的とする。
【課題を解決するための手段】
【０００７】
上記した目的の少なくとも一部を達成するために、本発明では、以下の構成を採用した。
【０００８】
[適用１：画像表示装置]
階調表現が可能な画素を縦方向にＭ個（Ｍは自然数）、横方向にＮ個（Ｎは自然数）配列した表示画面に、画像データに基づいて画像を表示する画像表示装置であって、
前記画像データの入力を受けるデータ入力部と、
前記画素の配列に対応して設定されたＰ本（ＰはＮ−１以下の自然数）の縦方向のライン及びＱ本（ＱはＭ−１以下の自然数）の横方向のラインのライン交点に配置された全ての格子点ごとに、前記画像データの入力値に対応して該画像データを補正するための補正値を備えるルックアップテーブルを記憶したテーブル記憶部と、
該記憶されたルックアップテーブルを参照しつつ、前記一つの画素に対応して入力した前記画像データを、前記画素の周囲の複数の前記格子点についての前記補正値を用いて補正する参照補正部と、
該補正後の画像データを前記表示画面での画像表示のために出力するデータ出力部とを備え、
前記テーブル記憶部が記憶した前記ルックアップテーブルの前記格子点は、前記画素の前記縦および横方向の配列に対して、不等間隔に設定されている
ことを要旨とする。
【０００９】
上記構成を備える画像表示装置では、縦方向にＭ個、横方向にＮ個配列した表示画面の画素に対して、Ｐ本（の縦方向のライン及びＱ本の横方向のラインのライン交点を格子点とするルックアップテーブルを記憶する。その上で、このルックアップテーブルの格子点を画素の縦および横方向の配列に対して不等間隔に設定することでその格子点位置を変更できる。このため、格子点の数を増やすことなく、不等間隔設定済みの格子点が備える補正値による画像データの補正を行うことができる。こうした格子点の不等間隔設定による格子点位置変更を、前記表示画面に表示した画像にムラが発生した場合の前記ムラの発生領域での密度が高くなるようにすれば、ムラの密度が高いムラ発生領域では、ムラの密度が低い領域に比して多くの格子点が位置変更を経て存在することになる。このため、こうした格子点位置変更後の格子点が備える補正値による画像データの補正を行うことで、区画されたムラ発生領域でのムラを是正可能である。また、格子点の不等間隔設定による格子点位置変更を、表示画面に表示した画像にムラが発生した場合の前記ムラの発生領域を区画するようにすれば、この区画されたムラの発生領域は、位置変更後の格子点で取り囲まれることになる。このため、こうした格子点位置変更後の格子点が備える補正値による画像データの補正を行うことで、区画されたムラ発生領域でのムラを是正可能である。
【００１０】
こうしたムラ是正を図るに当たり、格子点にデータ補正用の補正値を備えるルックアップテーブルを記憶するに足りるメモリリソースを必要とするものの、格子点についてはその位置が変わるに過ぎず、格子点の総数を増加させることはない。このため、表示画面で現れたムラ抑制の実効性を確保しつつ、必要なメモリリソースの低減を図ることができる。なお、表示画面に発生した画像のムラには、その表示した画像の階調のムラのみならず、本来表示させたい色からずれた色に表示されてしまう色ムラも含まれる。
【００１１】
上記した画像表示装置は、次のような態様とすることができる。例えば、格子点位置を変更する格子位置変更部を備えるようにした上で、この格子位置変更部により、テーブル記憶部の記憶対象ルックアップテーブルにおける前記格子点を、前記表示画面に表示した画像にムラが発生した場合の前記ムラの発生領域を区画するように前記不等間隔に設定するようにできる。また、ムラの発生領域を区画するに当たり、前記ルックアップテーブルにおける前記縦横格子の横方向ラインに属する全ての格子点の位置を縦方向に変更し、前記縦横格子の縦方向ラインに属する全ての格子点の位置を横方向に変更することで前記ムラの発生領域を区画するようにすることができる。こうすれば、表示画面に発生した画像のムラの発生領域は、ルックアップテーブルの格子点が属する縦方向ラインと横方向ラインで区画され、この区画されたムラの発生領域は、縦方向ラインに属する格子点と横方向ラインに属する格子点とで取り囲まれることになる。このため、既述したように、表示画面で現れたムラ抑制の実効性を確保しつつ、必要なメモリリソースの低減を図ることができる。しかも、格子点の位置変更は、ルックアップテーブルにおいて横方向ラインと縦方向ラインを単位に行えばよいので、格子点の位置変更に要する処理が簡便となる。この場合、ルックアップテーブルの格子点が属する縦方向ラインと横方向ラインの数に余裕があれば、画像のムラの発生領域を上記したように縦方向ラインと横方向ラインで区画した上で、その余裕のある縦方向ラインと横方向ラインを区画したムラの発生領域に含まれるようライン単位で縦方向或いは横方向に位置変更することもできる。
【００１２】
また、前記ルックアップテーブルを前記格子点の格子配列を維持したまま前記階調表現が可能な範囲に亘って多段に積層し、各段のルックアップテーブルにおける前記格子点ごとの前記補正値を階調に対応付けて備える３次元ルックアップテーブルを用い、この３次元ルックアップテーブルにおける前記各段のルックアップテーブルの間隔を、前記表示画面に画像を表示する際の入力階調に対する出力階調の入出力階調の偏りを区画するように設定して、格子点位置を変更することもできる。こうすれば、入出力階調の偏りが発現した領域を、各段のルックアップテーブルの縦横格子の格子点で取り囲めるので、表示画面におけるムラの発生と同様、積層間隔広狭変更後のルックアップテーブルの格子点が備える補正値による画像データの補正を行うことで、入出力階調の偏りについてもその是正が可能である。そして、この態様であっても、格子点を増加させることはないので、メモリリソースの増大を招かないようにできる。
【００１３】
また、前記表示画面における前記ムラの発生状況の入力を受ける変位入力部と、該変位入力部が前記入力を受けた前記ムラの発生状況に基づいて前記ムラの発生領域を区画するように、前記格子位置変更を行ってルックアップテーブルを補正する格子点位置変更部と、該格子点位置変更部の前記補正した前記ルックアップテーブルを、前記参照補正部が前記入力した画像データを前記補正値に基づき補正する際のルックアップテーブルとして前記テーブル記憶部に記憶させるテーブル書込部とを備えるようにすることもできる。こうすれば、画像表示装置の製造の際に上記のムラの発生状況の入力を受けることで、装置使用当初の状態から、ムラの発生状況を是正できる。しかも、何らかの原因で表示画面におけるムラの発生状況が推移しても、その推移後のムラの発生状況の入力を受けることで、その推移したムラの発生状況を是正でき、この際、新たなメモリリソースを用意する必要がない。
【００１４】
この場合、既述した３次元ルックアップテーブルであれば、前記入出力階調の偏りの状況についてもその入力を受けるようにして、入力を受けた前記入出力階調の偏りの状況に基づいても前記入出力階調の偏りを区画するよう、３次元ルックアップテーブルにおける前記各段のルックアップテーブルの間隔を設定して３次元ルックアップテーブルを補正し、その補正した前記３次元ルックアップテーブルを、前記参照補正部が前記入力した画像データを前記補正値に基づき補正する際の前記３次元ルックアップテーブルとして前記テーブル記憶部に記憶させるようにすることもできる。こうすれば、入出力階調の偏りを是正でき、この際、新たなメモリリソースを用意する必要がない。
【００１５】
また、前記画素が配列された格子より少ない数で等間隔とされた縦横格子の格子点ごとに前記補正値を備える基準ルックアップテーブルを、該基準ルックアップテーブルにおける前記格子点の格子配列を維持したまま前記階調表現が可能な範囲に亘って等間隔に多段に積層した基準３次元ルックアップテーブルについて、前記変位入力部が前記入力を受けた前記ムラの発生状況に基づいた前記各段の前記基準ルックアップテーブルにおける前記格子位置と、前記変位入力部が前記入力を受けた前記入出力階調の偏りの状況に基づいた前記各段の基準ルックアップテーブルについての間隔とを変更して前記基準３次元ルックアップテーブルを補正し、その補正した前記基準３次元ルックアップテーブルを、前記参照補正部が前記入力した画像データを前記補正値に基づき補正する際のルックアップテーブルとして前記テーブル記憶部に記憶させるようにすることもできる。
【００１６】
上記した基準３次元ルックアップテーブルは、格子点を縦横および階調表現の方向について等間隔に備えることから、表示画面にムラの発生がなく、入出力階調の偏りもないことが想定される際の画像データの補正に好適である。そして、この基準３次元ルックアップテーブルを表示画面におけるムラの発生状況と入出力階調の偏りとに応じて上記したように補正するので、その補正後の基準３次元ルックアップテーブルは、表示画面におけるムラの抑制や入出力階調の偏りの抑制の実効性が担保されたものとなる。よって、補正後の基準３次元ルックアップテーブルを、画像データ補正に用いる３次元ルックアップテーブルとすることで、高い実効性でムラの抑制や入出力階調の偏りを是正できる。
【００１７】
また、前記データ出力部から出力された前記補正後の画像データに基づいて前記表示画面に表示された画像の前記表示画面における前記ムラの発生状況と前記入出力階調の偏りの状況の少なくとも一方を変位検出部で検出し、該検出した前記ムラの発生状況と前記入出力階調の偏りの状況を前記格子点位置変更部に入力するようにした上で、その検出した前記ムラの発生状況と前記入出力階調の偏りの状況に基づいた前記基準３次元ルックアップテーブルについての前記補正を行うようにすることもできる。こうすれば、画像表示装置の製造或いは画像表示装置の使用の過程において上記したムラの発生状況や入出力階調の偏りの検出を経て、表示画面におけるムラの抑制や入出力階調の偏りの抑制の実効性を確保できる。
【００１８】
[適用２：画像表示方法]
階調表現が可能な画素を縦方向にＭ個（Ｍは自然数）、横方向にＮ個（Ｎは自然数）配列した表示画面の前記画素に画像データを出力して該画像データに基づいて画像を表示する画像表示方法であって、
前記画素の配列に対応して設定されたＰ本（ＰはＮ−１以下の自然数）の縦方向のライン及びＱ本（ＱはＭ−１以下の自然数）の横方向のラインのライン交点に配置された全ての格子点ごとに前記画像データの入力値に対応して該画像データを補正するための補正値を備えるルックアップテーブルの前記格子点の位置を変更して、前記表示画面に表示した画像にムラが発生した場合の前記ムラの発生領域を区画し、
前記格子点の位置を変更済みの前記ルックアップテーブルを参照しつつ、各画素について入力した画像データを対応する画素の周囲の前記格子点の前記補正値に基づき補正する
ことを要旨とする。
【００１９】
上記した画像表示方法によっても、ムラの発生や入出力階調の偏りを是正した上で、そのメモリリソースの低減も達成できる。
【００２０】
この他、本発明は、画像表示装置での画像表示を行うに当たり、ムラの発生や入出力階調の偏りを是正するためのルックアップテーブルを作成して、当該ルックアップテーブルを画像表示装置のテーブル記憶部に記憶させるムラ抑制用の装置として適用することもできる。
【図面の簡単な説明】
【００２１】
【図１】本発明の実施例としてのプロジェクター１００の概略構成を示す説明図である。
【図２】画像処理回路１１０の具体的な構成を示すブロック図である。
【図３】ムラ抑制処理を示すフローチャートである。
【図４】ＬＵＴメモリー１２４への転送対象となる基準３Ｄ−ＬＵＴを概念的に示す説明図である。
【図５】液晶パネル１４０に表示した画像におけるｘｙ方向のムラの発生状況を模式的に示す説明図である。
【図６】階調方向に偏りがない場合の３Ｄ−ＬＵＴと入出力階調との関係を基準３Ｄ−ＬＵＴと共に示す説明図である。
【図７】ｘｙ方向のムラの発生状況に応じた格子点位置変更の様子を説明する説明図である。
【図８】入出力階調に偏りがある場合の格子点位置変更の様子を入出力階調の偏りと関連付けて示す説明図である。
【図９】プロジェクター１００とは別のムラ抑制装置にて出荷前工程においてムラ抑制処理を行う変形例を示す説明図である。
【発明を実施するための形態】
【００２２】
以下、本発明の実施の形態をプロジェクターに適用した場合の実施例に基づき次の順序で説明する。
Ａ．プロジェクターの構成：
Ｂ．画像処理回路の構成：
Ｃ．ムラ抑制処理
【００２３】
Ａ．プロジェクターの構成：
図１は本発明の実施例としてのプロジェクター１００の概略構成を示す説明図である。図示するように、本実施例のプロジェクター１００は、入力インタフェース１７０と、画像処理回路１１０と、液晶パネル駆動回路１３０と、液晶パネル１４０と、光源部１５０と、投写レンズ１６０と、操作パネル１８０と、ムラ測定機器ＳＳとを備えている。
【００２４】
入力インタフェース１７０には、画像信号を出力する画像出力機器と後述する３次元ルックアップテーブル（以下、３Ｄ−ＬＵＴと称する）の構築のための補正データを出力する補正出力機器とが接続される。入力インタフェース１７０は、画像出力機器から入力したアナログ画像信号をＡ／Ｄ変換して、Ｒ（赤），Ｇ（緑），Ｂ（青）の各色が８ビット、すなわち、２５６段階のデータを有するデジタル信号を生成する回路を備えている。入力インタフェース１７０に接続される画像出力機器としては、例えば、ＤＶＤプレーヤーや、ビデオデッキ、パーソナルコンピューターがある。補正出力機器は、後述の液晶パネル１４０が表示した画像のムラの状況に基づいた補正データの出力機器であり、この補正データの入力を受けた入力インタフェース１７０は、当該データを画像処理回路１１０に出力する。なお、画像のムラの状況や画像処理回路１１０での補正データを用いた処理については後述する。
【００２５】
画像処理回路１１０は、入力インタフェース１７０から出力された画像データ信号（デジタル信号）を入力し、その画像データ信号を液晶パネル１４０での画像表示に対応したデータに変換する。具体的には、画像データ信号を後述する３Ｄ―ＬＵＴの格子点に対応付けられた補正データにて補正して、入力した画像データに対応する画像の色調を液晶パネル１４０での画像表示に適合するよう変換する。
【００２６】
操作パネル１８０は、ユーザーもしくは機器調整作業者によって操作される種々の操作ボタンを備え、各操作ボタンに応じた制御信号を画像処理回路１１０に出力する。本実施例では、液晶パネル１４０に表示した画像のムラ抑制機能を有することから、ムラ抑制のための調整開始ボタンなどが操作パネル１８０に設けられている。
【００２７】
液晶パネル駆動回路１３０は、画像処理回路１１０から出力されたデータ補正後の画像データを入力し、その入力した画像データを液晶パネル１４０に出力して液晶パネル１４０に画像を表示する。
【００２８】
液晶パネル１４０は、液晶パネル駆動回路１３０による制御を受けて、液晶素子を用いて画像を形成する透過型のライトバルブである。液晶パネル１４０は、光源部１５０から射出される光を入射し、これを変調して、スクリーン２００側に射出する。
【００２９】
光源部１５０は、液晶パネル１４０に光を射出する光源である。光源部１５０は、主として、光を発するランプ１５１と、このランプから発生される光を液晶パネル１４０に射出するレンズ１５２とを有している。
【００３０】
投写レンズ１６０は、液晶パネル１４０から射出された変調光を、スクリーン２００側に向けて拡大して投写するレンズである。
【００３１】
ムラ測定機器ＳＳは、液晶パネル１４０との位置関係が規定して設置された光学デバイスであり、液晶パネル１４０に実際に表示した画像のムラの発生状況を後述するように検出した上で、データ化する。ムラ測定機器ＳＳは、その検出したムラ発生状況データを、操作パネル１８０におけるムラ抑制のための調整開始ボタンの操作状況に応じて入力インタフェース１７０に出力する。ムラ測定機器ＳＳとなり得る光学デバイスとしては、液晶パネル１４０の表示した画像を撮像し、その撮像画像の画像データを、液晶パネル１４０での表示対象となった画像の画像データと比較することで、ムラ発生状況を検出・データ化するものの他、高速フーリエ変換を利用したフィルターデバイスなどを用いることができる。ムラ測定機器ＳＳは、その検出したムラ発生状況データを、操作パネル１８０におけるムラ抑制のための調整開始ボタンの操作状況に応じて入力インタフェース１７０に出力する。なお、本実施例では、ムラ測定機器ＳＳを装着してムラ抑制のための後述の処理を随時行うように構成したが、随時のムラ抑制処理の必要性が低い場合には、プロジェクター１００の出荷前の調整作業工程においてムラ抑制処理を行えばよく、この場合にはムラ測定機器ＳＳや画像処理回路１１０がムラ抑制処理のために有する後述の入力部１２０やアドレス演算回路１２２を省略した構成のプロジェクター１００として出荷できる。
【００３２】
以上のように構成されたプロジェクター１００では、入力インタフェース１７０によって入力した画像データで構成される画像を、画像処理回路１１０によるデータ補正を経てスクリーン２００に投写することができる。
【００３３】
Ｂ．画像処理回路の構成：
図２は画像処理回路１１０の具体的な構成を示すブロック図である。図示するように、画像処理回路１１０は、２系統のデータ入力を受け、そのデータ処理を行うため、入力部１１２と、補正点位置計算回路１１６と、アドレス演算回路１１８と、もう一つの入力部１２０と、アドレス演算回路１２２と、ＬＵＴメモリー１２４と、補間演算回路１２６と、出力回路１２８と、制御ユニット４０とを備えている。これら回路は、本願のデータ入力部、テーブル記憶部、参照補正部、データ出力部を、単独で或いは協働して構成する。
【００３４】
制御ユニット４０は、プロジェクター１００の全般的な制御を行うユニットである。制御ユニット４０は、ＣＰＵ、ＲＯＭ、ＲＡＭを備えている。ＣＰＵは、ＲＯＭに記憶された制御プログラムをＲＡＭにロードして実行することで、上記した各回路に制御信号を出力しプロジェクター１００の種々の制御を行う。
【００３５】
ＲＯＭには、更に、後述の基準３Ｄ−ＬＵＴデータが不揮発的に記憶されており、ムラ抑制のための後述の３Ｄ−ＬＵＴ構築に際して、制御ユニット４０は、基準３Ｄ−ＬＵＴデータをＲＯＭから読み出し、これを、ＬＵＴメモリー１２４に書き込む。書き込まれた基準３Ｄ−ＬＵＴは、後述するように液晶パネル１４０（図１参照）の画像に発生したムラ抑制のためのデータ補正（参照補正）のための参照用の３Ｄ−ＬＵＴとして再構築され、その構築された３Ｄ−ＬＵＴとしてＬＵＴメモリー１２４に更新記憶される。この様子については後述する。
【００３６】
画像データ入力系における補正点位置計算回路１１６は、画像データ系の入力部１１２を経て入力を受けた画像データの補正に用いる補正点位置（詳しくは３Ｄ−ＬＵＴの格子点位置）を演算する。アドレス演算回路１１８は、補正点位置に対応する読み出しアドレスを演算する。補正データ入力系におけるアドレス演算回路１２２は、入力部１２０を経て入力を受けた補正データ、詳しくは後述の画面縦横ムラデータと入出力階調の偏りデータに応じた補正データの更新対象となる格子点のアドレスを演算する。ＬＵＴメモリー１２４は、データの更新書込が可能なメモリーデバイスとされ、補正データの更新対象となる格子点の位置更新後のデータ参照補正用の３Ｄ−ＬＵＴを不揮発的に記憶保持する。これにより、プロジェクター１００は、更新後のデータ参照補正用の３Ｄ−ＬＵＴが画像データの補正に用いられることになる。補間演算回路１２６は、画像データに対応する３Ｄ−ＬＵＴの格子点の補正データを参照しつつ、各格子点の補正データを用いた補間演算を画像データごとに行い、その補正後の画像データを出力回路１２８を経て液晶パネル１４０、詳しくは液晶パネル駆動回路１３０に出力する。なお、上記したアドレス演算や、３Ｄ−ＬＵＴの格子点の補正データを参照したデータ補正演算は、既存の処理と変わることはなく、本発明の要旨とも直接関連しないので、その詳細な説明は省略する。
【００３７】
Ｃ．ムラ抑制処理
図３はムラ抑制処理を示すフローチャート、図４はＬＵＴメモリー１２４への転送対象となる基準３Ｄ−ＬＵＴを概念的に示す説明図、図５は液晶パネル１４０に表示した画像におけるｘｙ方向のムラの発生状況を模式的に示す説明図、図６は階調方向に偏りがない場合の３Ｄ−ＬＵＴと入出力階調との関係を基準３Ｄ−ＬＵＴと共に示す説明図、図７はｘｙ方向のムラの発生状況に応じた格子点位置変更の様子を説明する説明図、図８は入出力階調に偏りがある場合の格子点位置変更の様子を入出力階調の偏りと関連付けて示す説明図である。
【００３８】
本実施例では、図３に示すムラ抑制処理は、操作パネル１８０におけるムラ抑制のための調整開始ボタンの操作の都度に実行され、まず、ステップ１００では、制御ユニット４０から基準３Ｄ−ＬＵＴデータをＬＵＴメモリー１２４に転送して記憶させる。この基準３Ｄ−ＬＵＴは、図４に示すように、液晶パネル１４０における縦横方向（水平方向・縦方向）に合致するｘ方向とｙ方向においてそれぞれ等間隔とされた縦横格子の格子点ごとにデータ補正用の補正値を備える縦横格子基準補正テーブル（図４（Ａ））を、格子点の格子配列を維持したまま階調表現が可能な範囲に亘って等間隔に多段に積層して備える。この場合、図４（Ａ）の縦横格子基準補正テーブルは、液晶パネル１４０における画素の縦横配列に対応して設定されたｘ方向ラインとｙ方向ラインが交差する縦横格子の補正テーブルである。この場合、ｘ方向ラインは、液晶パネル１４０における画素の縦方向の並びに対応して、縦方向に平行に並んだラインであり、ｙ方向ラインは、液晶パネル１４０における画素の横方向の並びに対応して、縦方向に平行に並んだラインである。そして、ｘ方向ラインは、液晶パネル１４０において画素が横方向に並んだ画素の数より少なく設定され、ｙ方向ラインは、液晶パネル１４０において画素が縦方向に並んだ画素の数より少なく設定されている。
【００３９】
この基準３Ｄ−ＬＵＴは、後述の処理においてムラの発生状況に応じて修正されるものであり、液晶パネル１４０にムラや入出力階調の偏りがないことを想定したものであることから、各格子点に対応付けられた補正値は初期値（ゼロ）とされている。なお、図４においては、縦横格子基準補正テーブルを説明の便宜上、ｘ方向ラインを７ラインとし、ｙ方向ラインを８ラインとし、階調方向（ｚ方向）に５段とするが、ｘｙ方向のラインの数および階調方向の段数は、液晶パネル１４０での表示対象となる画像の解像度等に応じて決定される。
【００４０】
ステップＳ１１０は、ステップＳ１００に続いて、或いはこれと並行してなされ、液晶パネル１４０に実際に表示した画像における縦横方向（ｘｙ方向）の画像のムラと階調の偏りとを測定してその測定結果をデータ化する。より具体的には、上記したムラの測定のための基準となる画像（基準画像）の画像データ（基準画像データ）を画像処理回路１１０の入力部１１２に入力する。画像処理回路１１０は、図２に示す各回路を用いて、基準画像データをステップＳ１００にてＬＵＴメモリー１２４に転送済みの基準３Ｄ−ＬＵＴを参照しつつ各画素について基準３Ｄ−ＬＵＴの格子点の補正値に基づき補正し、その補正後の画像データを液晶パネル１４０（詳しくは、液晶パネル駆動回路１３０（図２参照））に出力する。これにより、液晶パネル１４０は、基準画像を表示する。そして、この表示された基準画像を、ムラ測定機器ＳＳにて例えば撮像し、その撮像画像の画像データを基準画像の基準画像データと比較することで、液晶パネル１４０に実際に表示した画像のｘｙ方向のムラの発生状況をデータ化する。この様子を図でもって説明する。
【００４１】
所定の均一の階調を持った基準画像を表示する場合、液晶パネル１４０の表示画面にｘｙ方向のムラがなければ、基準画像のそれぞれの画像データと撮像画像のそれぞれの画像データとは、同じ対応関係が見られる。ところが、液晶パネル１４０の表示画面にｘｙ方向に亘るムラが発生していれば、図５に示すように、基準画像のそれぞれの画像データと撮像画像のそれぞれの画像データとの対応関係は、ムラの発生状況により相違することになり、このムラの発生状況は液晶パネル１４０に特有のものとなる。図５は、表示画像の中央付近とその周囲において異なる程度のムラが起きていることを示している。つまり、ステップＳ１１０では、図５に示すようにして、液晶パネル１４０に実際に表示した画像におけるｘｙ方向のムラの発生状況が測定されて、データ化されることになる。こうしてデータ化されたムラの発生状況データには、基準画像に対応する画素ごとのｘｙ座標データに加え、ムラの程度に関するデータも含まれることになる。図５で説明すれば、基準画像としての外郭線に対応した画素についてのｘｙ座標データの他、基準画像に含まれる画素位置に対応するｘｙ座標データと、各座標データに対応するムラの程度に関するデータであり、表示画像中央では、ムラの程度が大きいデータとしてデータ化され、その周囲はムラの程度が中央より小さいデータとしてデータ化されることになる。
【００４２】
階調方向のムラについては、基準画像の画像データとして階調が異なる複数の画像データを用意し、当該画像データを順次出力して液晶パネル１４０に異なる階調ごとの画像を表示させ、各階調ごとの撮像画像の画像データと基準画像の画像データとを対比する。この場合、液晶パネル１４０で表示した画像に階調方向の偏りがなければ、図６に示すように、基準画像の階調の増減と撮像画像の階調の増減とは、リニアな入出力階調の関係となる。ところが、液晶パネル１４０の表示画像に階調の偏りが起きていれば、基準画像の階調の増減と撮像画像の階調の増減との対応関係は崩れ、データ対比で得られた入出力階調の関係となり、この関係は液晶パネル１４０に特有のものとなる。つまり、ステップＳ１１０では、図５に示すｘｙ方向のムラの発生状況に加え、入出力階調の偏りも測定され、その測定結果のデータがなされることになる。
【００４３】
続くステップ１２０では、液晶パネル１４０に特有のｘｙ方向のムラの発生状況がムラ抑制が必要な状況か否かを判定し、ムラの抑制が不要であれば後述のステップＳ１５０に移行する。一方、ムラの抑制が必要であれば、ステップＳ１３０〜１４０にてｘｙ方向のムラ抑制処理を行う。つまり、ステップＳ１２０での肯定判定（ムラ抑制必要判断）に続いては、ステップＳ１１０でデータ化したｘｙ方向のムラの発生状況データを、補正データとして画像処理回路１１０（図２参照）に入力することで、ステップＳ１３０〜１４０のムラ抑制処理は、画像処理回路１１０の入力部１２０とアドレス演算回路１２２にてなされることになる。
【００４４】
ステップＳ１３０では、図７に示すようにムラの発生状況に応じた基準３Ｄ−ＬＵＴの格子点位置変更に必要な演算を次のようにして行う。なお、説明の便宜上、図７に示すように、基準３Ｄ−ＬＵＴはｘ０〜ｘ５のｘ方向ラインとｙ０〜ｙ５のｙ方向ラインを備えるものとし、以下説明する。基準３Ｄ−ＬＵＴに関して、ｘｙ平面、即ち図４で説明した縦横格子基準補正テーブル（図４（Ａ））の各格子点のｘｙ座標は既知であり、ステップＳ１１０でデータ化されたムラの発生状況データには既述したように画像のｘｙ座標データが含まれていることから、図７（Ａ）に示すように、基準３Ｄ−ＬＵＴの縦横格子基準補正テーブルの各格子点とムラの発生した画像との位置関係を演算にて求める。
【００４５】
その上で、ムラの発生した画像におけるそのムラの発生領域を、図７（Ｂ）に示すように基準３Ｄ−ＬＵＴの縦横格子基準補正テーブルのｘ方向ラインとｙ方向ラインとを位置変更して区画することを想定する。そして、このようにムラの発生領域を区画するために位置変更の対象となるｘ方向ラインとｙ方向ラインに属する全ての格子点についてのｘ方向位置変更程度とｙ方向位置変更程度とを、基準３Ｄ−ＬＵＴの縦横格子基準補正テーブルにおける各格子点の既知のｘｙ座標とステップＳ１１０でデータ化されたムラの発生状況データに含まれる画像のｘｙ座標データとから演算する。図７では、ｘ１〜ｘ４のｘ方向ラインとｙ１〜ｙ４のｙ方向ラインに含まれる格子点が全てその位置変更の対象となり、その格子点についての座標データが、ステップＳ１４０において、その位置変更後のものに更新され、ＬＵＴメモリー１２４に更新して記憶される。この更新後の格子点については、新たにアドレス演算に処されることになる。
【００４６】
ステップＳ１５０では、ステップＳ１１０において検出・データ化した液晶パネル１４０に特有の入出力階調の偏りを抑制する必要性を判定し、偏り抑制が不要であれば本ルーチンを終了する。一方、入出力階調の偏りの抑制が必要であれば、ステップＳ１６０〜１７０にて入出力階調の偏り抑制処理を行う。つまり、ステップＳ１５０での肯定判定（偏り抑制必要判断）に続いては、ステップＳ１１０でデータ化した入出力階調の偏りデータを、補正データとして画像処理回路１１０（図２参照）に入力することで、ステップＳ１６０〜１７０の偏り抑制処理は、画像処理回路１１０の入力部１２０とアドレス演算回路１２２にてなされることになる。
【００４７】
ステップＳ１６０では、図８に示すように入出力階調の偏りの状況に応じた基準３Ｄ−ＬＵＴの格子点位置変更に必要な演算を次のようにして行う。図８（Ａ）は、基準３Ｄ−ＬＵＴに含まれる階調方向各段の縦横格子基準補正テーブルが等間隔である場合の各段の当該テーブルを、入力階調と対応付けて示している。こうした対応関係のまま画像データをルックアップテーブルの格子点に対応付けられた補正値で画像データを補正すると、入出力階調の偏りの影響を受け、表示画像には図５に示すような階調のムラが発生する。こうした入出力階調の偏りを抑制すべく、基準３Ｄ−ＬＵＴに含まれる階調方向各段の縦横格子基準補正テーブルのｚ方向（階調方向）の間隔を広狭変更して、図８（Ｂ）に示すように、入出力階調の偏りを階調方向各段の縦横格子基準補正テーブルで区画する。そして、このように入出力階調の偏りを区画するために広狭変更の対象となる階調方向各段の縦横格子基準補正テーブルに属する全ての格子点についての補正値を、例えば図５における画像中央とその周辺での階調の偏りの程度に応じて変更演算する。この場合、ステップＳ１３０〜１４０においてなされた変更後の格子点の格子配列は、階調方向各段の縦横格子基準補正テーブルにおいて維持されたままである。ステップＳ１７０では、広狭変更の対象となった階調方向各段の縦横格子基準補正テーブルの格子点についての補正値が広狭変更後の補正値に更新され、ＬＵＴメモリー１２４に更新して記憶され、本ルーチンを終了する。この更新後の格子点については、新たにアドレス演算に処されることになる。これにより、本ルーチンの実行後における画像表示に際しては、補正点位置計算回路１１６での補正点位置演算とアドレス演算回路１１８での読出用のアドレス演算にはＬＵＴメモリー１２４に更新記憶後の新たな３Ｄ−ＬＵＴ（図８（Ｂ））が用いられ、補間演算回路１２６での画像データの補正（補間演算）には、ＬＵＴメモリー１２４に更新記憶後の新たな３Ｄ−ＬＵＴ（図８（Ｂ））が参照されることになる。
【００４８】
なお、本実施例では、図６のように入力階調と出力階調とがリニアな関係となる場合を入出力階調の偏りがない理想的な状態とし、この理想的な状態からのずれが大きくなるほど入出力階調の偏りが大きくなるものとする。例えば、入力階調と出力階調とが図８（Ｂ）に示すような関係にある場合は、入力階調が低階調となる領域と高階調となる領域では、入力階調の変化に対する出力階調の変化が小さい。一方で、入力階調が中間的な階調となる領域では、入力階調の変化に対する出力階調の変化が大きい。このような場合は、入力階調の変化に対する出力階調の変化が大きい領域（入力階調が中間的な階調となる領域）で特に入出力階調の偏りが大きいと判定する。
【００４９】
以上説明した本実施例のプロジェクター１００では、補間演算回路１２６での画像データの補正（補間演算）の際に参照する３Ｄ−ＬＵＴをＬＵＴメモリー１２４に記憶するに当たり、その３Ｄ−ＬＵＴにおける格子点の位置を変更して表示画面の画像のムラの発生領域を区画するので（図７（Ｂ））、この区画されたムラの発生領域を、位置変更後の格子点で取り囲むことができる。このため、こうした格子点位置変更後の格子点が備える補正値による画像データの補正を行うことで、区画されたムラ発生領域でのムラを是正できる。
【００５０】
こうしたムラ是正を図るに当たり、ＬＵＴメモリー１２４には３Ｄ−ＬＵＴを記憶するに足りるメモリリソースを必要とするものの、格子点についてはその位置が変わるに過ぎず、格子点を増加させることはない。このため、本実施例のプロジェクター１００によれば、液晶パネル１４０に表示した画面に現れたムラ抑制の実効性を確保しつつ、必要なメモリリソースの低減を図ることができる。
【００５１】
また、本実施例のプロジェクター１００では、図７（Ｂ）に示すように、ムラの発生領域を区画するに当たり、３Ｄ−ＬＵＴにおけるｘ方向ラインに属する全ての格子点の位置を縦方向に変更し、ｙ方向ラインに属する全ての格子点の位置を横方向に変更することでムラの発生領域を区画するようにした。このため、液晶パネル１４０に表示した画面に発生した画像のムラの発生領域を格子点で取り囲むに際しては、格子点の位置変更をｘ方向ラインとｙ方向ラインを単位に行えばよいので、格子点の位置変更に要する処理が簡便となる。
【００５２】
また、本実施例のプロジェクター１００では、３Ｄ−ＬＵＴを構成する各段の縦横格子基準補正テーブル（図４（Ａ））における格子点ごとの補正値を階調に対応付けた上で、液晶パネル１４０に画像を表示する際の入力階調に対する出力階調の入出力階調の偏りを区画するよう、３Ｄ−ＬＵＴを構成する各段の縦横格子基準補正テーブル（図４（Ａ））の積層の間隔を広狭変更するようにした。このため、入出力階調の偏りが発現した領域を、各段の縦横格子基準補正テーブル（図４（Ａ））の縦横格子の格子点で取り囲める（図８（Ｂ））ので、積層間隔広狭変更後の３Ｄ−ＬＵＴの格子点が備える補正値による画像データの補正を経て、入出力階調の偏りについても是正できる。この際、３Ｄ−ＬＵＴにおける格子点を増加させないので、メモリリソースの増大を招くことはない。
【００５３】
また、本実施例のプロジェクター１００では、ムラ測定機器ＳＳの検出した液晶パネル１４０のムラの発生状況や入出力階調の偏りを画像処理回路１１０の入力部１２０に入力し、その入力したムラの発生状況や入出力階調の偏りに基づいた図３のムラ抑制処理を行うようにした。このムラ抑制処理は、プロジェクター１００の製造工程後半の出荷前の調整作業工程やプロジェクター１００の使用過程の随時時期（操作パネル１８０におけるムラ抑制のための調整開始ボタンの操作時）に行うことができる。このため、出荷されたプロジェクター１００の使用当初から、ムラや入出力階調の偏りの是正済みの状態でプロジェクター１００を使用できる。また、プロジェクター１００の使用過程において何らかの原因で液晶パネル１４０の表示画面にムラや入出力階調の偏りが推移しても、改めてのムラ抑制処理の実行により、ムラや入出力階調の偏りの是正済みの状態でプロジェクター１００を継続使用できる。しかも、こうした是正を図るに当たり、新たなメモリリソースを用意する必要がない。
【００５４】
また、本実施例のプロジェクター１００では、液晶パネル１４０にムラや入出力階調の偏りがないことを想定した基準３Ｄ−ＬＵＴ（図４、図６）をムラ測定機器ＳＳにて検出したムラの発生状況や入出力階調の偏りに基づいたムラ抑制処理に処して補正し、その補正した３Ｄ−ＬＵＴをＬＵＴメモリー１２４に記憶させ、当該記憶した補正済み３Ｄ−ＬＵＴを補間演算回路１２６が画像データ補正の際のルックアップテーブルとした。このため、液晶パネル１４０の実際の表示画面におけるムラの抑制や入出力階調の偏りを高い実効性で是正できる。
【００５５】
以上、本発明の実施例について説明したが、本発明は、上記した実施の形態に限られるものではなく、その要旨を逸脱しない範囲において種々の態様にて実施することが可能である。例えば、上記したムラ抑制処理を、操作パネル１８０におけるムラ抑制のための調整開始ボタンの操作の都度に実行されるものとしたが、既述したようにプロジェクター１００の出荷前の調整作業工程においてムラ抑制処理を行う場合には、次のように構成すればよい。図９はプロジェクター１００とは別のムラ抑制装置にて出荷前工程においてムラ抑制処理を行う変形例を示す説明図である。
【００５６】
図示するように、この変形例では、プロジェクター１００とは別に構成されて、調整作業工程に設置されたムラ抑制装置ＳＢにて、既述した図３のムラ抑制処理を行う。ムラ抑制装置ＳＢは、既述した画像処理回路１１０に代わって、画像データの入力系に、入力部１１２と、補正点位置計算回路１１６と、アドレス演算回路１１８とを備え、補正データの入力系に入力部１２０と、アドレス演算回路１２２と、ＬＵＴメモリー１２４と、補間演算回路１２６と、出力回路１２８とを備える。その一方、プロジェクター１００については、その画像処理回路１１０を補正データ入力系における入力部１２０とアドレス演算回路１２２とを有しない構成とし、ムラ測定機器ＳＳについても省略する。その上で、このムラ抑制装置ＳＢをプロジェクター１００の液晶パネル駆動回路１３０に接続して、ムラ抑制装置ＳＢから出力された補正後の画像データで液晶パネル１４０の画像表示を可能とし、制御ユニット４０のＲＯＭにムラ抑制装置ＳＢで上記のムラ抑制処理に沿って作成した３Ｄ−ＬＵＴ（図８（Ｂ））を調整工程において書き込むようにする。これにより、プロジェクター１００における画像処理回路１１０のＬＵＴメモリー１２４に、制御ユニット４０のＲＯＭに書き込み済みの３Ｄ−ＬＵＴ（図８（Ｂ））を画像表示の都度にロードする。
【００５７】
このようにプロジェクター１００とは別に構成したムラ抑制装置ＳＢを用いても、補正データ入力系における入力部１２０とアドレス演算回路１２２とを有しないプロジェクター１００では、その出荷後の使用状況において、補正点位置計算回路１１６での補正点位置演算とアドレス演算回路１１８での読出用のアドレス演算にはＬＵＴメモリー１２４にロードされた３Ｄ−ＬＵＴ（図８（Ｂ））が用いられ、補間演算回路１２６での画像データの補正（補間演算）にはＬＵＴメモリー１２４にロードされた３Ｄ−ＬＵＴ（図８（Ｂ））が参照されることになる。こうすれば、プロジェクター１００にムラ測定機器ＳＳや入力部１２０、アドレス演算回路１２２を必要としない分、コスト低下を図ることができる。
【００５８】
また、上記した実施例では、プロジェクターについて説明したが、これに限らずハイビジョン形式の液晶テレビやプラズマディスプレー等にも適用することができる。
【符号の説明】
【００５９】
４０…制御ユニット
１００…プロジェクター
１１０…画像処理回路
１１２…入力部
１１６…補正点位置計算回路
１１８…アドレス演算回路
１２０…入力部
１２２…アドレス演算回路
１２６…補間演算回路
１２８…出力回路
１３０…液晶パネル駆動回路
１４０…液晶パネル
１５０…光源部
１５１…ランプ
１５２…レンズ
１６０…投写レンズ
１７０…入力インタフェース
１８０…操作パネル
２００…スクリーン
ＳＢ…ムラ抑制装置
ＳＳ…ムラ測定機器
【図１】
2011180350.tif 000003
【図２】
2011180350.tif 000004
【図３】
2011180350.tif 000005
【図４】
2011180350.tif 000006
【図６】
2011180350.tif 000007
【図８】
2011180350.tif 000008
【図９】
2011180350.tif 000009
【図５】
2011180350.tif 000010
【図７】
2011180350.tif 000011